(57)【要約】【課題】他物を支持した状態においても、防水カバーのシール作業や改修作業を効率よく実施できるようにする。【解決手段】防水下地２Ａの上に防水層２Ｂを設けてある防水構造物２の表面に、他物１を固定するための他物固定具であって、防水下地２Ａに取付自在な取付部３ａを備えたベース部３を設け、ベース部３から立ち上がる胴部４ａと、胴部４ａの先端部で他物１を固定自在な固定部４ｂと、を備えた支持脚部４を設け、防水層２Ｂから胴部４ａの外周部に沿って立ち上がる状態に設置される防水カバーＳの先端縁部を覆うスカート部５を設け、固定部４ｂに他物１を固定した状態において、防水カバーＳの先端縁部をスカート部５で覆う状態と、覆わない状態とに切替自在なスカート部切替機構６を設けてある。【選択図】図２
2014152531.tif 000002
【特許請求の範囲】
【請求項１】
防水下地の上に防水層を設けてある防水構造物の表面に、他物を固定するための他物固定具であって、
前記防水下地に取付自在な取付部を備えたベース部を設け、
前記ベース部から立ち上がる胴部と、前記胴部の先端部で前記他物を固定自在な固定部と、を備えた支持脚部を設け、
前記防水層から前記胴部の外周部に沿って立ち上がる状態に設置される防水カバーの先端縁部を覆うスカート部を設け、
前記固定部に前記他物を固定した状態において、前記防水カバーの先端縁部を前記スカート部で覆う状態と、覆わない状態とに切替自在なスカート部切替機構を設けてある他物固定具。
【請求項２】
前記スカート部切替機構は、前記胴部の外周部に、前記胴部の長手方向に位置変更自在に前記スカート部が外嵌する嵌合構造によって構成してある請求項１に記載の他物固定具。
【請求項３】
前記胴部には、その長さを変更自在な長さ変更手段を設け、
前記固定部には、前記防水下地に対する前記他物の取付角度を変更自在な角度変更手段を設けてある請求項１又は２に記載の他物固定具。
【発明の詳細な説明】
【技術分野】
【０００１】
本発明は、防水下地の上に防水層を設けてある防水構造物（例えば、建物の屋根や壁等）の表面に、他物（例えば、ソーラーパネルや、そのフレーム等）を固定するための他物固定具に関する。
【背景技術】
【０００２】
従来、この種の他物固定具としては、図７に示すように、屋上のコンクリート床（防水下地に相当）２Ａの表面に、フレーム（他物に相当）１を介して、例えばソーラーパネル等を固定するために形成されたものがあり（例えば、特許文献１参照）、コンクリート床２Ａに取り付けるベース部３と、ベース部３から立ち上がる胴部４ａと、胴部４ａの上端部で前記フレーム１を固定する固定部４ｂとを備えて構成されている。
また、ベース部３の上面と胴部４ａの外周面とには、コンクリート床２Ａ上の防水層２Ｂから立ち上がる状態に防水カバーＳが設置されるが、前記胴部４ａには、この防水カバーＳの上端縁部のシール部分Ｔを覆う状態に、スカート部１５が固着してあった。
防水カバーＳの上端縁部のシール部分Ｔは、筒状の防水カバーＳの上端縁部を、内側に位置する胴部４ａに密接させるための締付バンドＴａや、その周りを覆うシーリング材Ｔｂ等によって止水が図られるものである。
そして、スカート部１５は、胴部４ａから外周側へ鍔状に張り出した張出部１５Ａと、その先端から下方へ屈曲した垂下部１５Ｂとで構成してあり、張出部１５Ａと垂下部１５Ｂによって、シール部分Ｔの上側と外側とを覆うように構成されている。
【先行技術文献】
【特許文献】
【０００３】
【特許文献１】特開２０１２−８７５８０号公報（図８）
【発明の概要】
【発明が解決しようとする課題】
【０００４】
上述した従来の他物固定具によれば、防水カバーＳのシール部分Ｔは、スカート部１５によって覆われているから、締付バンドＴａの設置作業や、シーリング材Ｔｂの充填作業の際、スカート部１５の存在が作業の障害になり、実施し難い為、この点での改善が求められる。
そこで、改善案としては、図８に示すように、スカート部１５を、胴部４ａと別体に構成して、シール部分Ｔの処理作業中は外しておき、その後、固定部４ｂの上から被して、フレーム１と共に固定できるように形成することが考えられる。この改善案によれば、シール部分Ｔの処理作業中は、スカート部１５が作業の障害にならず、効率的に作業を進めることができると共に、処理作業終了後は、スカート部１５を取り付けることでシール部分Ｔをスカート部１５で覆うことができ、防水性の維持を図ることができる。
しかしながら、この改善案においては、例えば、設置状態の防水層２や防水カバーＳの改修を行うような場合は、前記スカート部１５が改修作業の障害となるから取り外す必要があり、結果的には、上に取り付けてあるフレーム１やソーラーパネル等も含めて全て取り外さなければならなくなる。
よって、防水層や防水カバーの改修作業が大掛かりになり、作業効率が低くなる虞がある。
【０００５】
従って、本発明の目的は、上記問題点を解消し、他物を支持した状態においても、防水カバーのシール作業や改修作業を効率よく実施できる他物固定具を提供するところにある。
【課題を解決するための手段】
【０００６】
本発明の第１の特徴構成は、防水下地の上に防水層を設けてある防水構造物の表面に、他物を固定するための他物固定具であって、前記防水下地に取付自在な取付部を備えたベース部を設け、前記ベース部から立ち上がる胴部と、前記胴部の先端部で前記他物を固定自在な固定部と、を備えた支持脚部を設け、前記防水層から前記胴部の外周部に沿って立ち上がる状態に設置される防水カバーの先端縁部を覆うスカート部を設け、前記固定部に前記他物を固定した状態において、前記防水カバーの先端縁部を前記スカート部で覆う状態と、覆わない状態とに切替自在なスカート部切替機構を設けてあるところにある。
【０００７】
本発明の第１の特徴構成によれば、支持脚部のベース部を防水下地に取り付けると共に、支持脚部の固定部に他物を固定することで、防水構造物の表面上に他物を離間させた状態に安定設置することができる。
また、スカート部切替機構を設けてあるから、固定部に他物を固定した状態であっても、防水カバーの先端縁部を前記スカート部で覆う状態と、覆わない状態とに切り替えることができる。
よって、防水カバーの先端縁部を、スカート部によって覆う状態にすることで、防水カバーと胴部との間のシール部分が外方に曝されて劣化するのを抑制でき、シール部分の止水性能の維持を図ることが可能となる。
一方、防水カバーの先端縁部を、スカート部によって覆わない状態に切り替えることで、シール部分の周囲を開放した状態にすることができ、例えば、防水カバーの上端縁部に、止水用の締付バンドを着脱したり、その周りにシーリング材等を充填する等のシール作業を、開放された環境で実施でき、効率的にシール作業を進めることができる。
また、シール部分のシーリング材や締付バンド、及び、防水カバー等を撤去して、新しいものに改修する作業（改修作業）を行うような場合にも、同様に、スカート部を前記覆わない状態に切り替えて、シール部分の周囲を開放した状態で効率よく改修作業を進めることができる。
しかも、固定部から他物を取り外さなくても、スカート部切替機構を機能させることができるから、上述のシール作業や改修作業を、最小限度の手間で効率的に且つ経済的に行うことができる。
【０００８】
本発明の第２の特徴構成は、前記スカート部切替機構は、前記胴部の外周部に、前記胴部の長手方向に位置変更自在に前記スカート部が外嵌する嵌合構造によって構成してあるところにある。
【０００９】
本発明の第２の特徴構成によれば、胴部に対してその長手方向にスカート部の位置を変更することができ、防水カバーの先端縁部をスカート部で覆う状態と、覆わない状態とにスムーズに切替操作することができる。
因みに、嵌合構造としては、例えば、胴部の長手方向にスカート部がスライド移動自在に外嵌するスライド嵌合構造や、胴部の外周部とスカート部の内周部とに、螺合自在なネジ部をそれぞれ形成したネジ嵌合構造等、様々な嵌合構造を採用することができる。
また、胴部とスカート部とを、夫々の用途に最適な材質で形成することができ、例えば、それぞれを別の素材で形成することも可能となる。
【００１０】
本発明の第３の特徴構成は、前記胴部には、その長さを変更自在な長さ変更手段を設け、前記固定部には、前記防水下地に対する前記他物の取付角度を変更自在な角度変更手段を設けてあるところにある。
【００１１】
本発明の第３の特徴構成によれば、胴部の長さ変更手段によって長さを変更することで、他物の支持高さを自由に調整することができると共に、固定部の角度変更手段によって防水下地に対する他物の取付角度を自由に調整することができるようになり、防水下地に対して任意の状態に他物を固定することが可能となる。
また、支持高さや取付角度は、個別に変更することができるから、高さ調整や角度調整をより簡単に効率よく実施することができる。
【図面の簡単な説明】
【００１２】
【図１】固定具を示す分解斜視図
【図２】固定具の設置状況を示す断面図
【図３】固定具の設置状況を示す断面図
【図４】固定具の設置状況を示す要部断面図
【図５】別実施形態の固定具の設置状況を示す断面図
【図６】別実施形態の固定具の設置状況を示す断面図
【図７】従来の固定具の設置状況を示す要部断面図
【図８】従来の固定具の改善案を盛り込んだ固定具の設置状況を示す断面図
【発明を実施するための形態】
【００１３】
以下に本発明の実施の形態を図面に基づいて説明する。尚、図面において従来例と同一の符号で表示した部分は、同一又は相当の部分を示している。
【００１４】
図２、図３は、本発明の他物固定具の一実施形態品（以後、単に固定具Ｋという）を使用して、例えば、ソーラーパネル等を固定するためのフレーム（他物の一例）１を、屋上（防水構造物の一例）２のコンクリート床（防水下地の一例）２Ａに固定してある状況を示している。
図には示さないが、同様の固定具Ｋが、コンクリート床２の他の複数箇所にも設置してあり、それらにわたってフレーム１が固定され、そのフレーム１でソーラーパネル等が支持される。
【００１５】
前記屋上２は、コンクリート床２Ａの上に防水シート（防水層の一例）２Ｂを敷設して構成してある。
【００１６】
前記フレーム１は、例えば、図に示すようなチャンネル部材によって構成することができる。但し、ソーラーパネル等の取付対象物の構造によって、適宜変更することができ、例えば、Ｈ形鋼や、溝形鋼や、山形鋼や、筒形鋼（丸筒や角筒）等の形鋼であってもよい。
【００１７】
前記固定具Ｋは、金属製であり、コンクリート床２に取付自在な取付部３ａを備えたベース部３を設け、ベース部３から立ち上がる胴部４ａと、胴部４ａの上端部でフレーム１を固定自在な固定部４ｂと、を備えた支持脚部４を設け、防水シート２Ｂから胴部４ａの外周部に沿って立ち上がる状態に設置される防水カバーＳの上端縁部を覆うスカート部５を設け、固定部４ｂにフレーム１を固定した状態において、前記防水カバーＳの上端縁部をスカート部５で覆う状態と、覆わない状態とに切替自在なスカート部切替機構６を設けて構成してある。
尚、当該実施形態の固定具Ｋにおいては、前記スカート部５は、内側の第１スカート部５Ａと、外側の第２スカート部５Ｂとの二つの部材を備えて構成してある。
【００１８】
前記ベース部３は、円板形状に構成してあり、その中央部に、前記支持脚部４が一体に立設されている。
また、外周縁部には、コンクリート床２への固定ネジ部材Ｖを挿通自在なネジ挿通孔からなる複数の取付部３ａが、周方向に間隔をあけて設けてある。
【００１９】
前記支持脚部４は、上述のとおり、ベース部３から立ち上がる状態に立設された胴部４ａと、その上端に取り付けられた固定部４ｂとで構成されている。
【００２０】
前記胴部４ａは、ベース部３に立設されている円筒部材７と、この円筒部材７の内周部に螺合する軸部材８とを備えて構成してある。
【００２１】
前記円筒部材７は、軸部材８を螺合自在な雌ネジ部７ａが内周部に形成してあり、外周部の上端部には、前記第１スカート部５Ａを螺合自在な雄ネジ部７ｂが形成してある。
円筒部材７の外周部には、図１に示すように、前記防水カバーＳが外嵌状態に配置され、雄ネジ部７ｂの近傍付近まで立ち上がる。そして、防水カバーＳの上端縁部には、円筒部材７に防水カバーＳの上縁部を密接させるための締付バンドＴａや、その周りを覆うシーリング材Ｔｂ等が設けられ、円筒部材７と防水カバーＳとの間の止水が図られる。この部分をシール部分Ｔという。
また、雄ネジ部７ｂに第１スカート部５Ａを螺合させることで、シール部分Ｔを、第１スカート部５Ａで覆うことができる。
【００２２】
因みに、前記第１スカート部５Ａは、胴部４ａから外周側へ鍔状に張り出した張出部５Ａａと、その先端から下方へ屈曲した垂下部５Ａｂとで構成してあり、張出部５Ａａと垂下部５Ａｂによって、シール部分Ｔの上側と外側とを覆うように構成されている。また、張出部５Ａａの内周部は、バーリング加工を施してあり、円筒部材７の雄ネジ部７ｂに螺合自在な雌ネジ部５Ａｃが形成してある。この雌ネジ部５Ａｃと、前記雄ネジ部７ｂとの螺合構造によって、スカート部切替機構６が構成されている。
【００２３】
前記軸部材８は、上端側に、拡径部８ａを備え、その下方側の外周面には、円筒部材７の雌ネジ部７ａに螺合自在な雄ネジ部８ｂが形成してある。
拡径部８ａの外周面には、前記第２スカート部５Ｂを螺合自在な雄ネジ部８ｃが形成してある。この雄ネジ部８ｃに第２スカート部５Ｂを螺合させることで、円筒部材７と軸部材８との螺合面や、前記シール部分Ｔを、第２スカート部５Ｂで覆うことができる。
【００２４】
因みに、前記第２スカート部５Ｂは、軸部材８から外周側へ鍔状に張り出した張出部５Ｂａと、その先端から下方へ屈曲した垂下部５Ｂｂとで構成してあり、張出部５Ｂａと垂下部５Ｂｂによって、円筒部材７と軸部材８との螺合面や、シール部分Ｔの上側と外側とを覆うように構成されている。また、張出部５Ｂａの内周部は、バーリング加工を施してあり、軸部材８の雄ネジ部８ｃに螺合自在な雌ネジ部５Ｂｃが形成してある。この雌ネジ部５Ｂｃと、前記雄ネジ部８ｃとの螺合構造によって、スカート部切替機構６が構成されている。
【００２５】
また、軸部材８の長手方向の中間部には、雄ネジを設けてない周溝部８ｅが設けてある。この周溝部８ｅは、円筒部材７に対する軸部材８の螺合深さを認識する目印となる。そして、円筒部材７に対する軸部材８の螺合深さを調整することで、胴部４ａの長さ、即ち、フレーム１の支持高さを変更調整することができる。円筒部材７の雌ネジ部７ａと、軸部材８の雄ネジ部８ｂとで、長さ変更手段Ｌが構成されている。
【００２６】
軸部材８の雄ネジ部８ｂには、円筒部材７と軸部材８との螺合状態をロックするロックナットＮが螺合させてある。
軸部材８の上端側には、上端面に開口する雌ねじ穴８ｆが形成してあり、この雌ねじ穴８ｆには、前記固定部４ｂが螺着される。
【００２７】
前記固定部４ｂは、軸芯どうしの交差角度を変更自在に設けられた上下一対のボルト部９を備えて構成してある。上下一対のボルト部９は、球面連結部（角度変更手段の一例）Ｊを介して連結してあることで、互いの交差角度を変更でき、また、変更後の交差角度を維持する状態にロックすることもできる。
上下一対のボルト部９のうち、下方のボルト部９Ａは、前記軸部材８の雌ねじ穴８ｆに螺着される。また、下方のボルト部９Ａにも、その長手方向の中間部に、雄ネジを設けてない周溝部９ａが設けてある。
上下一対のボルト部９のうち、上方のボルト部９Ｂは、前記球面連結部Ｊの載置台Ｊａ上に設置されたフレーム１に挿通させ、ナット１０を取り付けることで、フレーム１を固定することができる。
【００２８】
当該実施形態の固定具Ｋの設置状態は、図２に示すとおりであり、スカート部５によってシール部分Ｔを覆うことで、紫外線劣化の抑制や、風雨に対する防護を図ることができながら、防水カバーＳの設置工事や改修工事等の際には、シール部分Ｔの設置や撤去やメンテナンス等の作業を、図３に示すように、スカート部切替機構６を利用して第１スカート部５Ａと第２スカート部５Ｂとを上方に退避させることで、容易に実施することができる。
また、図４に示すように、長さ変更手段Ｌや角度変更手段Ｊによって、フレーム１の支持高さや支持姿勢（角度）を任意に変更調整することができる。
【００２９】
〔別実施形態〕
以下に他の実施の形態を説明する。
【００３０】
〈１〉  前記他物１は、先の実施形態で説明したフレームに限るものではなく、例えば、ソーラーパネルそのものであったり、またその他の取付対象物であってもよく、それらを含めて他物と総称する。
【００３１】
〈２〉  前記防水構造物２の構造は、先の実施形態で説明した屋上に限るものではなく、例えば、傾斜屋根や、壁等であってもよい。従って、防水下地２Ａに関しても、先の実施形態で説明したコンクリート床に限るものではない。
【００３２】
〈３〉  前記他物固定具Ｋは、先の実施形態で説明した形状のみに限るものではなく、適宜、変更が可能である。
また、スカート部５は、先の実施形態で説明した第１スカート部５Ａと第２スカート部５Ｂとの二種類を設けることに限るものではなく、何れか一方のみ、又は、三種類以上の複数設けるものであってもよい。
また、第１スカート部５Ａは、円筒部材７に螺合させる取付構造に限らず、例えば、図５に示すように、第２スカート部５Ｂの内周面に形成した雌ネジ部５Ｂｄに対して螺合自在な雄ネジ部５Ａｄを、第１スカート部５Ａの外周部に形成しておき、雄ネジ部５Ａｄを雌ネジ部５Ｂｄに螺合させることで、上下に位置変更自在に構成してあってもよい。
この場合、スカート部切替機構６は、軸部材８の雄ネジ部８ｃと第２スカート部５Ｂの雌ネジ部５Ｂｃによる螺合構造に加えて、第１スカート部５Ａの雌ネジ部５Ａｄと第２スカート部５Ｂの雌ネジ部５Ｂｄとの螺合構造によっても構成されている。
また、図５に示す実施形態においては、角度変更手段Ｊとしては、上方のボルト部９Ｂの下端部に球状部９Ｂａを備え、下方のボルト部９Ａの上端部に、球状部９Ｂａの下面を受ける凹球状部９Ａａを備え、下方のボルト部９Ａに螺合させて球状部９Ｂａを凹球状部９Ａａとの間で挟んで固定するナット部９Ｃを備えて構成してある。下方のボルト部９Ａに対するナット部９Ｃの螺合が緩い状態においては、上方のボルト部９Ｂは、取付角度を変更することができ、ナット部９Ｃを締め込んで球状部９Ｂａを強く挟むことで取付角度を固定することができる。
【００３３】
〈４〉  前記スカート部切替機構６は、先の実施形態で説明した雄ネジ部と雌ネジ部とのネジ嵌合に限るものではなく、例えば、図６に示すように、垂下部１１を、上下にスライド移動自在に嵌合筒構造として形成するものであってもよい。この場合、下方側の筒部材が脱落しないようにストッパ（不図示）を設けておくことが好ましい。
【００３４】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３５】
１      フレーム（他物の一例）
２      屋上（防水構造物の一例）
２Ａ    コンクリート床（防水下地の一例）
２Ｂ    防水シート（防水層の一例）
３      ベース部
３ａ    取付部
４      支持脚部
４ａ    胴部
４ｂ    固定部
５      スカート部
６      スカート部切替機構
Ｊ      球面連結部（角度変更手段の一例）
Ｌ      長さ変更手段
Ｓ      防水カバー
【図１】
2014152531.tif 000003
【図２】
2014152531.tif 000004
【図３】
2014152531.tif 000005
【図４】
2014152531.tif 000006
【図５】
2014152531.tif 000007
【図６】
2014152531.tif 000008
【図７】
2014152531.tif 000009
【図８】
2014152531.tif 000010